(57)【要約】  本発明の使い捨ｐておむつは、吸収体と、該吸収体の非肌対向面側に配される非肌面シートと、該非肌面シートの非肌対向面側に配される外面シートとを備え、着用状態において着用者の腹側に配される腹側部、股間部に配される股下部及び背側に配される背側部を有する。吸収体は、股下部から背側部にかけてのいずれかの位置に、坪量が該吸収体の他の部位よりも相対的に低い低坪量部を有する。使い捨ておむつは、外面シートと、該外面シートにおける肌対向面側に位置するシートとが、接着剤によって接合され、それによっておむつ長手方向に延びる複数条の接合部が形成されている。複数条の接合部は、前記低坪量部と重なる領域に位置する。前記領域のうち、おむつ幅方向の両側方域に位置する側方領域は、幅方向の中央域に位置する中央領域よりも前記接着剤の坪量が高くなっている。
2020070780.tif 000002
【特許請求の範囲】
【請求項１】
吸収体と、該吸収体の非肌対向面側に配される非肌面シートと、該非肌面シートの非肌対向面側に配される外面シートとを備え、着用状態において着用者の腹側に配される腹側部、股間部に配される股下部及び背側に配される背側部を有する使い捨ておむつであって、
前記吸収体は、股下部から背側部にかけてのいずれかの位置に、坪量が該吸収体の他の部位よりも相対的に低い低坪量部を有し、
前記外面シートと、該外面シートの肌対向面側に位置するシートとが、接着剤によって接合され、それによっておむつ長手方向に延びる複数条の接合部が形成されており、
複数条の前記接合部は、前記低坪量部と厚さ方向において重なる領域に位置しており、
前記領域のうち、おむつ幅方向の両側方域に位置する側方領域は、幅方向の中央域に位置する中央領域よりも前記接着剤の坪量が高くなっている、使い捨ておむつ。
【請求項２】
前記接合部は、おむつ長手方向に沿う長さが前記低坪量部よりも長い、請求項１に記載の使い捨ておむつ。
【請求項３】
前記中央領域における前記接着剤の坪量に対する、前記側方領域における前記接着剤の坪量の比が、１．３以上１００以下である、請求項１又は２に記載の使い捨ておむつ。
【請求項４】
前記側方領域に形成されている前記接合部の本数が、前記中央領域に形成されている前記接合部の本数よりも多い、請求項１ないし３のいずれか一項に記載の使い捨ておむつ。
【請求項５】
前記接合部が、おむつ長手方向に間欠的に形成されている、請求項１ないし４のいずれか一項に記載の使い捨ておむつ。
【請求項６】
前記吸収体は単層である、請求項１ないし５のいずれか一項に記載の使い捨ておむつ。
【請求項７】
前記非肌面シートと前記外面シートとの間に位置する中間シートを備え、
前記非肌面シートと前記中間シートとが接着剤によって接合された第２接合部を有し、
第２接合部が形成されている領域と、前記側方領域とが、厚み方向において重なるように位置している、請求項１ないし６のいずれか一項に記載の使い捨ておむつ。
【請求項８】
前記中間シートはおむつ幅方向の両側部域に配されており、
前記外面シートは、おむつ幅方向中央域において前記非肌面シートと接合されて前記接合部が前記中央領域に形成されているとともに、おむつ幅方向両側方域において前記中間シートと接合されて前記接合部が前記側方領域に形成されている、請求項７に記載の使い捨ておむつ。
【請求項９】
第２接合部と、前記側方領域に形成されている前記接合部とが、厚み方向において重なるように位置している、請求項７又は８に記載の使い捨ておむつ。
【請求項１０】
第２接合部は、おむつ長手方向に沿って、帯状又はスパイラル状に複数条形成されている、請求項７ないし９のいずれか一項に記載の使い捨ておむつ。
【請求項１１】
前記中間シートは、該中間シートのおむつ長手方向に沿う一方の側部域が前記非肌面シートと前記外面シートとの間に位置し、他方の側部域側が前記吸収体の肌対向面側に折り返されて防漏カフを形成し、該防漏カフの自由端に弾性部材が伸長状態で配されている、請求項７ないし１０のいずれか一項に記載の使い捨ておむつ。
【請求項１２】
伸長状態での前記弾性部材の位置が、前記中央領域と厚み方向において重なる、請求項１１に記載の使い捨ておむつ。
【請求項１３】
前記吸収体は、その長手方向に沿って延びる複数条の低剛性部を有し、
厚み方向において、前記各低剛性部は前記中央領域に形成されている前記接合部と重なっている、請求項１ないし１２のいずれか一項に記載の使い捨ておむつ。
【請求項１４】
前記低剛性部の一本の幅は、前記側方領域に形成されている前記接合部の一本の幅よりも大きい、請求項１３に記載の使い捨ておむつ。
【請求項１５】
前記低剛性部の一本の幅は、前記側方領域に形成されている前記接合部の合計幅よりも小さい、請求項１３又は１４に記載の使い捨ておむつ。
【請求項１６】
おむつ幅方向断面視において、前記吸収体の幅方向中央部から該吸収体の幅方向端部までの長さに対する、該吸収体の幅方向中央部から前記低剛性部の幅方向外側部までの長さの比が、０．４以上０．９以下である、請求項１３ないし１５のいずれか一項に記載の使い捨ておむつ。
【請求項１７】
前記中央領域に形成されている前記接合部の各外側縁と前記低剛性部とが厚み方向で重なっている、請求項１３ないし１６のいずれか一項に記載の使い捨ておむつ。
【請求項１８】
前記低剛性部は、前記低坪量部に少なくとも存在している、請求項１３ないし１７のいずれか一項に記載の使い捨ておむつ。
【請求項１９】
前記外面シートの非肌対向面側に外装体を備え、
前記外装体は、前記外面シートの非肌対向面側に配される内層不織布と、該内層不織布の非肌対向面側に配される外層不織布とを有し、
おむつ幅方向に沿って延びる第２弾性部材が前記外層不織布と前記内層不織布との間に複数本配されており、
第２弾性部材のうち少なくとも一本と前記低坪量部とが、厚み方向で重なるように配されて、おむつ幅方向に沿って延びるウエストギャザーを形成している、請求項１ないし１８のいずれか一項に記載の使い捨ておむつ。
【請求項２０】
厚み方向において前記低坪量部と重なる位置に存在する第２弾性部材の少なくとも一本が切断されて伸縮性が発現しないようになされている、請求項１９に記載の使い捨ておむつ。
【請求項２１】
切断された第２弾性部材の両端部が接着剤によって前記外装体に接合された弾性部材接合部を有し、該弾性部材接合部と前記側方領域に形成されている前記接合部とが厚み方向において重なっている、請求項２０に記載の使い捨ておむつ。
【請求項２２】
切断されていない第２弾性部材が、切断された第２弾性部材よりも背側端部側に位置している、請求項２０又は２１に記載の使い捨ておむつ。
【請求項２３】
前記吸収体は、前記低坪量部よりも坪量の高い高坪量部を該低坪量部よりも背側に有する、請求項１ないし２２のいずれか一項に記載の使い捨ておむつ。
【請求項２４】
おむつ長手方向における前記低坪量部の収縮率は、前記吸収体の他の領域の収縮率よりも高い、請求項１ないし２３のいずれか一項に記載の使い捨ておむつ。
【請求項２５】
前記中央領域は、前記吸収体の幅方向の全長に対して、該吸収体の中央部を挟んで４０％以上７０％以下の範囲で形成されており、
前記側方領域は、前記吸収体の幅方向の全長に対して、該吸収体の両側縁から１５％以上３０％以下の範囲でそれぞれ形成されている、請求項１ないし２４のいずれか一項に記載の使い捨ておむつ。
【請求項２６】
パンツ型である、請求項１ないし２５のいずれか一項に記載の使い捨ておむつ。
【発明の詳細な説明】
【技術分野】
【０００１】
本発明は、使い捨ておむつに関する。
【背景技術】
【０００２】
水様便や泥状便などの水分が比較的多い排泄物の外部への漏れを防止するおむつが提案されている。例えば特許文献１には、下方へ開口可能なポケットを備えるポケット形成部が後ウエスト域に形成されたおむつが記載されている。同文献には、ポケット形成部が、帯状域に固定された両側固定部から上方へ延びるポケット内側域と、吸収体の延長上に位置するポケット外側域と、前記ポケット内外側域の両側部から形成されたポケット両側域とを有しており、該形成部におけるポケット内側域の横方向の寸法が縮められて、ポケット両側域が横方向の内側へ折曲されていることも記載されている。
【先行技術文献】
【特許文献】
【０００３】
【特許文献１】特開２０１６−６７９５８号公報
【発明の概要】
【０００４】
本発明は、吸収体と、該吸収体の非肌対向面側に配される非肌面シートと、該非肌面シートの非肌対向面側に配される外面シートとを備え、着用状態において着用者の腹側に配される腹側部、股間部に配される股下部及び背側に配される背側部を有する使い捨ておむつである。前記吸収体は、股下部から背側部にかけてのいずれかの位置に、坪量が該吸収体の他の部位よりも相対的に低い低坪量部を有する。前記外面シートと、該外面シートの肌対向面側に位置するシートとが、接着剤によって接合され、それによっておむつ長手方向に延びる複数条の接合部が形成されている。複数条の前記接合部は、前記低坪量部と厚さ方向において重なる領域に位置している。前記領域のうち、おむつ幅方向の両側方域に位置する側方領域は、幅方向の中央域に位置する中央領域よりも前記接着剤の坪量が高くなっている、使い捨ておむつを提供するものである。
【図面の簡単な説明】
【０００５】
【図１】図１は、本発明の使い捨ておむつの自然状態を模式的に示す斜視図である。
【図２】図２は、図１に示すおむつの展開且つ伸長状態における肌対向面側（内面側）を模式的に示す展開平面図である。
【図３】図３（ａ）は、図２に示すおむつにおけるＡ−Ａ線での実施形態を示す断面図であり、図３（ｂ）は、図２に示すおむつにおけるＢ−Ｂ線での実施形態を示す断面図である。
【図４】図４（ａ）は、図２に示すおむつの吸収体の実施形態を示す平面図であり、図４（ｂ）は、図４（ａ）の吸収体のＩ−Ｉ線での側面図である。
【図５】図５は、外面シートにおける接合部の一実施形態を示す模式図である。
【図６】図６は、本発明の使い捨ておむつの使用後の状態を模式的に示す斜視図である。
【図７】図７は、外面シートにおける接合部の別の実施形態を示す模式図である。
【図８】図８は、図２に示すおむつにおけるＡ−Ａ線での別の実施形態を示す断面図である。
【図９】図９は、図２に示すおむつの吸収体の更に別の実施形態を示す平面図である。
【発明の詳細な説明】
【０００６】
特許文献１に記載のおむつは、その背側部にポケットが形成されているので、おむつの肌対向面側には吸収性本体が突出し、着用感を損なう。また、同文献に記載のおむつは、ポケットの形成によっておむつの背側部が膨らんでしまい、おむつの外観を損なうものとなっていた。
【０００７】
したがって、本発明は、従来技術の欠点を解決し得る使い捨ておむつ及びその製造方法に関する。
【０００８】
以下、本発明の使い捨ておむつを、その好ましい実施形態に基づき説明する。図１ないし図３には、本発明の使い捨ておむつの一実施形態であるパンツ型の使い捨ておむつが示されている。おむつ１は、その着用状態において着用者の腹側に配される腹側部Ｆ及び背側に配される背側部Ｒと、これらの部材の間に位置し且つ着用者の股間部に配される股下部Ｍと有する。これらの部材は、着用者の前後方向に連続して延びている。おむつ１は、着用者の腹側から股間部を介して背側に延びるおむつ長手方向Ｘ（以下、これを単に「長手方向Ｘ」ともいう。）と、これに直交するおむつ幅方向Ｙ（以下、これを単に「幅方向Ｙ」ともいう。）とを有している。
【０００９】
図１及び図２に示すように、おむつ１は、排泄物の吸収保持が可能な吸収体２３を含む吸収性本体２と、該吸収性本体２の非肌対向面側に配される外装体３とを備えている。おむつ１は、腹側の両側縁部と背側の両側縁部どうしが、接着剤、ヒートシール、超音波シール等の公知の接合手段によって互いに接合されて、一対のサイドシール部Ｓ，Ｓ、並びに着用者の胴が通されるウエスト開口部ＷＨ、及び着用者の下肢が通される一対のレッグ開口部ＬＨが形成されている。外装体３の詳細は後述する。
【００１０】
図示していないが、本発明のおむつは、上述の実施形態に代えて、いわゆる展開型の使い捨ておむつであってもよい。すなわち、おむつ１の背側部Ｒの長手方向Ｘに沿う両側縁部には、一対のサイドシール部Ｓ，Ｓに代えて、一対のファスニングテープが形成されていてもよい。ファスニングテープは、止着部が取り付けられており、おむつ１の腹側部Ｆの非肌対向面には、ファスニングテープの止着部を着脱自在に止着可能に被止着領域が形成されている。被止着領域は、腹側部Ｆの非肌対向面を形成する非肌面シートの非肌対向面に接合固定して形成されている。
【００１１】
本明細書において、「肌対向面」は、おむつ又はその構成部材（例えば吸収性本体）に着目したときに、おむつの着用時に着用者の肌側に向けられる面であり、「非肌対向面」は、おむつの着用時に肌側とは反対側に向けられる面である。つまり、肌対向面は、着用者の肌に相対的に近い側の面であり、非肌対向面は、着用者の肌から相対的に遠い側の面である。「着用時」は、おむつの適正な着用位置が維持された状態を指す。
【００１２】
図１に示すように、おむつ１は、ウエスト開口部ＷＨとレッグ開口部ＬＨとの間に、着用時に着用者の胴周りに配される胴周り部Ｗを有する。胴周り部Ｗは、おむつ１におけるサイドシール部Ｓと長手方向Ｘにおいて同位置にある領域であり、本実施形態においては、腹側部Ｆが腹側の胴周り部Ｗ、背側部Ｒが背側の胴周り部Ｗである。
【００１３】
図２に示すように、吸収性本体２は、おむつ１の展開且つ伸長状態において略長方形形状であり、腹側部Ｆから背側部Ｒまでに亘って配されている。吸収性本体２は、その長手方向をおむつ１の長手方向Ｘに一致させて、外装体３の幅方向Ｙの中央部に配置されている。吸収性本体２は、接着剤等の接合手段によって外装体３に接合されている。おむつ１の「展開且つ伸長状態」とは、おむつ１をサイドシール部Ｓで切り離すか、又はファスニングテープの止着部と被止着領域との止着を解除して展開状態とし、その展開状態のおむつ１を伸長させて設計寸法（伸縮性を有する部材の影響を一切排除した状態で平面状に広げたときの寸法と同じ）となるまで拡げた状態をいう。
【００１４】
吸収性本体２は、図２及び図３に示すように、肌対向面を形成する液透過性の肌面シート２１と、非肌対向面を形成する液難透過性（撥水性も含む）の非肌面シート２２と、これら両シート２１，２２間に介在配置された液保持性の吸収体２３とを備えている。吸収体２３は、吸収性能を有する吸収性コア２３１が液透過性のコアラップシート２３２に被覆されて形成されている。吸収体２３は、肌面シート２１及び非肌面シート２２とそれぞれ直接接している。
【００１５】
吸収性本体２における吸収体２３は、その長手方向Ｘにおける股下部Ｍから背側部Ｒにかけてのいずれかの位置に、坪量が吸収体２３の他の部位よりも相対的に低い低坪量部２Ｌを有している。低坪量部２Ｌは、その長手方向Ｘにおいて、股下部Ｍにのみ位置していてもよく、背側部Ｒにのみ位置していてもよく、また股下部Ｍ及び背側部Ｒの双方に位置していてもよい。また低坪量部２Ｌは，その幅方向Ｙの全域に存在してもよく、一部に存在していてもよい。図４（ａ）に示す吸収体２３は、背側部Ｒの長手方向Ｘ及び幅方向Ｙの全域にのみ単一の低坪量部２Ｌを有しており、股下部Ｍには低坪量部２Ｌは存在していない。低坪量部２Ｌは、図４（ｂ）に示すように、吸収体２３の肌対向面側が非肌対向面側に向けて凹陥し、且つ背側部Ｒの端縁に向けて厚みが漸減している。
【００１６】
吸収体２３は、低坪量部２Ｌよりも坪量の高い高坪量部２Ｈを有している。低坪量部２Ｌと高坪量部２Ｈとの境界は、図４（ｂ）に示す形態と異なり、段差となっていてもよい。高坪量部２Ｈは、吸収体２３中に二箇所又はそれ以上別個に存在してもよい。その場合、二箇所以上の高坪量部２Ｈは、それらの坪量が同一であってもよく、又は異なっていてもよい。吸収体２３において坪量が異なる領域が三つ以上存在する場合は、坪量が最も低い領域を低坪量部２Ｌとし、それ以外の領域を高坪量部２Ｈと定義する。低坪量部２Ｌは、股下部Ｍから背側部Ｒにかけてのいずれかの位置に存在し、必要に応じそれ以外の位置に存在していていもよい。
【００１７】
肌面シート２１、非肌面シート２２及び吸収体２３はそれぞれ、吸収性物品に従来用いられているものを特に制限なく用いることができる。例えば、肌面シート２１としては各種の不織布や開孔フィルム等を用いることができ、非肌面シート２２としては樹脂フィルムや、樹脂フィルムと不織布等とのラミネート等を用いることができる。吸収体２３は、吸収性コア２３１として、木材パルプ、親水化処理された合成繊維等の親水性繊維の集合体や、該集合体に吸水性ポリマーを保持させたものを用いることができ、またコアラップシート２３２として、肌面シート２１と同様のものを用いることができる。
【００１８】
図３に示すとおり、吸収性本体２における非肌面シート２２の非肌対向面側には、外面シート２５が配置されている。外面シート２５は、吸収性本体２における少なくとも股下部Ｍに配置されており、股下部Ｍを介して腹側部Ｆ及び背側部Ｒにまで延在していることが好ましい。外面シート２５のうち、腹側部Ｆ及び背側部Ｒに位置している部位は、吸収性本体２と後述する外装体３との間に少なくとも配置されている。外面シート２５は、股下部Ｍにのみおむつ１の外面に露出していてもよく、外装体３が股下部Ｍを更に覆うことによって、腹側部Ｆ、股下部Ｍ及び背側部Ｒのいずれにも露出していなくてもよい。
【００１９】
図２に戻ると、おむつ１は、外装体３を備えている。外装体３は、外面シート２５の非肌対向面側に配されており、おむつ１の外面を形成する部材である。図２に示すように、外装体３の周縁は、おむつ１の腹側部Ｆ及び背側部Ｒの輪郭線を少なくとも形成している。腹側部Ｆ及び背側部Ｒに位置する外装体３は、長手方向Ｘよりも幅方向Ｙの長さが長い長方形形状となっており、これらが胴周り部Ｗを形成している。つまり、図２に示すおむつ１は、外装体３が、着用者の背側に配される背側外装体３Ｒと腹側に配される腹側外装体３Ｆとに分割されており、吸収性本体２が、背側外装体３Ｒと腹側外装体３Ｆとの間に架け渡して固定されている形態のものとなっている。これに代えて、本発明のおむつは、外装体３が、腹側部Ｆ及び背側部Ｒに加えて、股下部Ｍに亘って連続して配された形状となっていてもよい。
【００２０】
図３（ｂ）に示すように、外装体３は、着用状態においておむつ１の非肌対向面を形成する外層不織布３１と、外層不織布３１の肌対向面に配置された内層不織布３２との積層体を含んで構成されている。おむつ１の着用状態において、外層不織布３１はおむつ１の非肌対向面を形成しており、内層不織布３２はおむつ１の肌対向面を形成している。外層不織布３１と内層不織布３２とは、所定の部位において接着剤等の接合手段を介して互いに接合されている。外面シート２５との関係においては、内層不織布３２は、外面シート２５の非肌対向面側に配されており、また外層不織布３１は、内層不織布３２の非肌対向面側に配されている。
【００２１】
なお、図３（ｂ）は、外層不織布３１及び内層不織布３２の間と、内層不織布３２及び外面シート２５の間とが、それぞれ分離して表されているが、これは説明の便宜上、そのように表しただけであり、実際には各不織布及びシートは分離しておらず、図示しない接合等が行われている。
【００２２】
図１及び図２に示すように、外層不織布３１と内層不織布３２との間には、糸状又は帯状の複数本の第２弾性部材３３が、おむつ長手方向Ｘにそれぞれ間隔を空けて配されている。各第２弾性部材３３はおむつ幅方向Ｙに沿って延びており、伸長状態で外層不織布３１と内層不織布３２との間に複数本配されて固定されている。第２弾性部材３３の収縮によって、おむつ１の着用時における胴周り部Ｗには、胴周りギャザーが形成される。胴周りギャザーは、第２弾性部材３３の伸縮可能な方向である幅方向Ｙに沿って延びるように形成されている。
【００２３】
図３及び図５に示すとおり、外面シート２５と、外面シート２５における肌対向面に位置するシートとが、接着剤によって接合され、それによっておむつ長手方向Ｘに延び、かつ幅方向Ｙに非連続に形成されている複数条の接合部２７が形成されている。接合部２７は、おむつ１の平面視において、吸収性本体２の低坪量部２Ｌと厚み方向において重なる領域に位置し、且つ長手方向Ｘに延びるように形成されている。接合部２７は、おむつ１の幅方向Ｙの中央域に位置する中央領域に形成されている接合部２７ａ（以下、これを「中央接合部２７ａ」ともいう。）と、幅方向Ｙの両側方域に位置する側方領域に形成されている接合部２７ｂ（以下、これを「側方接合部２７ｂ」ともいう。）とからなり、それらが低坪量部２Ｌと厚み方向で重なっている。中央接合部２７ａは、外面シート２５が、その幅方向Ｙ中央域において、非肌面シート２２と接合されて形成されている。また側方接合部２７ｂは、外面シート２５が、その幅方向Ｙの両側方域において、後述する中間シート２９と接合されて形成されている。接合部２７と吸収性本体２の低坪量部２Ｌとが厚み方向で重なっている領域は、中央領域２７Ｃと側方領域２７Ｓとから構成されている。中央領域２７Ｃは、中央接合部２７ａを含んでおり、おむつ幅方向の中央に位置している。側方領域２７Ｓは、中央領域２７Ｃを挟んで、おむつ幅方向の側方に位置している。中央領域２７Ｃと、側方領域２７Ｓとは、互いに接着剤の坪量が異なっており、好ましくは側方領域２７Ｓは中央領域２７Ｃよりも接着剤の坪量が高い。
【００２４】
詳細には、（１）各領域に２７Ｃ，２７Ｓ存在する各接合部２７ａ，２７ｂはそれぞれ同じ塗布量の接着剤によって形成されており、且つ接着剤の塗布間隔を各領域で異なるように接着剤を塗布して、中央領域２７Ｃと側方領域２７Ｓとでの接着剤の坪量を互いに異なるように形成したものであるか、（２）側方領域２７Ｓに存在する側方接合部２７ｂは、接合部における接着剤の塗布量が中央領域２７Ｃに存在する中央接合部２７ａよりも多くなるように形成されており、且つ接着剤の塗布間隔は同じように塗布して、中央領域２７Ｃと側方領域２７Ｓとでの接着剤の坪量を互いに異なるように形成したものであるか、又は（３）接着剤の塗布量と塗布間隔とをそれぞれ異なるようにして、中央領域２７Ｃと側方領域２７Ｓとでの接着剤の坪量を互いに異なるように形成したものである態様が挙げられる。
【００２５】
おむつ１は、その幅方向Ｙの両側部域に配された中間シート２９を更に備えていてもよい。図３に示すように、中間シート２９は、非肌面シート２２と外面シート２５との間に位置している。中間シート２９は、液抵抗性又は撥水性で且つ通気性の不織布から構成されている。中間シート２９は、吸収性本体２における少なくとも股下部Ｍに形成されている。
【００２６】
中間シート２９は、その長手方向Ｘに沿う固定端部２９ｃが非肌面シート２２と外面シート２５との間に位置し、自由端部２９ａ側が吸収体２３の肌対向面側に折り返されて防漏カフを形成し、自由端部２９ａ側に位置する防漏カフの自由端２９Ｓに弾性部材２９ｂが伸長状態で配されて、長手方向Ｘに沿う伸縮性を有している。中間シート２９は、弾性部材２９ｂの収縮によって、吸収体２３の幅方向Ｙにおける両側縁又はその近傍を起点とし、着用者の肌に向けて起立可能となっている。弾性部材２９ｂは、長手方向Ｘに沿って配されており、中間シート２９に伸長状態で固定されている。中間シート２９のうち自由端部２９ａと反対側の側縁に位置する固定端部２９ｃは、吸収性本体２における非肌面シート２２と外面シート２５との間に位置して接合されている。
【００２７】
また図３（ａ）及び（ｂ）に示すように、固定端部２９ｃは、非肌面シート２２と中間シート２９とが接着剤によって接合された第２接合部２７Ａを有している。第２接合部２７Ａは、非肌面シート２２と中間シート２９とが接合されて形成されており、側方接合部２７ｂと厚み方向Ｚにおいて重なるように形成されている。また、第２接合部２Ａが形成されている領域と、側方領域２７Ｓとが、厚み方向Ｚにおいて重なるように形成されている。
【００２８】
このような構成を有する本実施形態のおむつ１によれば、おむつの着用直後は、おむつ外表面にポケット等の部材が形成されていないので、凹凸が少ないすっきりとした外観を有し、その外観が良好なものとなる。また便などの比較的重量がある排泄物の排泄後には、吸収体の幅方向中央域が外方に突出するように変形して、便を包み込むように収容可能なポケット１Ｐを形成するので、図６に示すように、水分の多い便であっても吸収体の幅方向中央域で首尾よく保持することができ、その結果、便の漏れを防ぐことができる。吸収体の幅方向中央域が変形する理由は、吸収体が低坪量部を有し、該低坪量部が変形しやすいことに加えて、中央接合部２７ａが存在する中央領域２７Ｃは、側方接合部２７ａが存在する側方領域２７Ｓよりも接着剤の坪量が低くなっているので、非肌面シート２２及び外面シート２５の幅方向中央域も変形しやすいためである。
【００２９】
上述した接合部２７は、長手方向Ｘに沿う長さが低坪量部２Ｌよりも長く形成されていることが好ましい。このような構成を有していることによって、低坪量部２Ｌの全域において排泄物を包み込むように保持可能なポケット１Ｐを形成して、排泄物の漏れを一層効果的に防ぐことができる。
【００３０】
中央領域２７Ｃは、吸収体２３の幅方向Ｙの全長に対して、該吸収体２３の中央部を挟んで４０％以上７０％以下の範囲で形成されていることが好ましく、また側方領域は、吸収体２３の幅方向Ｙの全長に対して、該吸収体２３の両側縁からそれぞれ１５％以上３０％以下の範囲でそれぞれ形成されていることが好ましい。このような構成を有していることによって、側方接合部２７ｂが存在する側方領域２７Ｓの剛性を高めて、便を収容するポケット１Ｐを一層容易に形成させることができる。中央領域２７Ｃと側方領域２７Ｓとの境界は、側方領域２７Ｓにおいて、最も幅方向Ｙの中央側に位置する側方接合部２７ｂの幅方向中央側の端部と定義し、側方領域２７Ｓの幅方向外方端は吸収体２３の幅方向端部と定義する。
【００３１】
中央接合部２７aが存在する中央領域２７Ｃにおける接着剤の坪量（Ａ）に対する、側方接合部２７ｂが存在する側方領域２７Ｓにおける接着剤の坪量（Ｂ）の比（Ｂ／Ａ）は、１．３以上であることが好ましく、１．５以上であることがより好ましく、３．０以上であることが更に好ましく、また１００以下であることが好ましく、８０以下であることがより好ましく、５０以下であることが更に好ましい。具体的には、中央接合部２７aが存在する中央領域２７Ｃにおける接着剤の坪量（Ａ）に対する、側方接合部２７ｂが存在する側方領域２７Ｓにおける接着剤の坪量（Ｂ）の比（Ｂ／Ａ）は、１．３以上１００以下であることが好ましく、１．５以上８０以下であることがより好ましく、３．０以上５０以下であることが更に好ましい。各領域における接着剤の坪量は、各領域の平面視における面積を基準とする。このような構成を有していることによって、側方接合部２７ｂの剛性を一層高めて、便を収容するポケット１Ｐの形成を一層首尾よく行うことができる。
【００３２】
同様の観点から、中央接合部２７aが存在する中央領域２７Ｃにおける接着剤の坪量は、上述の比を満たすことを条件として、０．１ｇ／ｍ２以上であることが好ましく、０．３ｇ／ｍ２以上であることがより好ましく、０．５ｇ／ｍ２以上であることが更に好ましく、また１０ｇ／ｍ２以下であることが好ましく、８ｇ／ｍ２以下であることがより好ましく、１ｇ／ｍ２以下であることが更に好ましい。同様に、側方接合部２７ｂが存在する側方領域２７Ｓにおける接着剤の坪量は、上述の比を満たすことを条件として、０．５ｇ／ｍ２以上であることが好ましく、０．７ｇ／ｍ２以上であることがより好ましく、１ｇ／ｍ２以上であることが更に好ましく、また１５ｇ／ｍ２以下であることが好ましく、１０ｇ／ｍ２以下であることがより好ましく、２ｇ／ｍ２以下であることが更に好ましい。各領域における坪量の測定は、測定対象の領域を切り取ってサンプルとし、接着剤の塗布量（ｇ）からサンプルの平面視における面積（ｍ２）を除することによって求めることができる。
【００３３】
図５に示すように、長手方向Ｘに延びる側方接合部２７ｂの本数が、長手方向Ｘに延びる中央接合部２７ａの本数よりも多くなっていることが好ましい。このような構成を有していることによって、側方接合部２７ｂの剛性を一層高めつつ、接合部２７が比較的少ない幅方向中央域からの通気を行うことができるので、ポケット１Ｐの形成容易性と、着用時のムレの抑制とを両立させることができる。
【００３４】
図５に示す各接合部２７は、長手方向Ｘに沿って筋状に形成されており、例えば一定幅を有する帯状（ストライプ状）、スパイラル状、オメガ字状の接合パターンを採用することができる。各接合部２７は、外面シート２５の長手方向Ｘの全域にわたって連続又は不連続に形成することができる。
【００３５】
特に、接合部２７は、図７に示すように、長手方向Ｘに間欠的に形成されていることが好ましい。同図に示す接合部２７は、中央接合部２７ａ及び側方接合部２７ｂの双方が間欠的になっているが、これらの接合部のうちいずれか一方のみが間欠的に形成されていてもよい。このような構成を有していることによって、側方接合部２７ｂの剛性を高めてポケット１Ｐの形成を容易にしつつ、おむつ１自体の柔軟性を向上させることができる。
【００３６】
第２接合部２７Ａは、上述した接合部２７と同様に、長手方向Ｘに沿って、帯状又はスパイラル状に複数条形成されていることも好ましい。このような構成を有していることによって、吸収体の側方域の剛性を一層高めて、吸収体の中央域を容易に変形させやすくして、便を保持するポケットを形成しやすくすることができる。その結果、排泄物がポケットに首尾よく保持され、漏れを防ぐことができる。
【００３７】
ポケットの形成容易性の観点から、吸収体２３は単層で形成されており、上述した低坪量部２Ｌを有していることも好ましい。単層且つ低坪量部２Ｌを有する吸収体２３の形態としては、例えば図４（ｂ）に示すような側面を有しており、吸収体２３の厚みが漸減している形態が挙げられる。
【００３８】
吸収体２３は、長手方向Ｘにおける低坪量部２Ｌの収縮率が他の領域の収縮率よりも高いことが好ましい。このような構成としては、例えば特開２００９−１３６４９８号公報等に記載の伸縮性吸収体を用い、低坪量部２Ｌと、それ以外の部分とで収縮率が異なるように形成したものを採用することができる。このような構成を有していることによって、着用者の追従性と排泄物に対する変形性とを両立して、排泄物の漏れを防ぐことができる。
【００３９】
図３に示すように、伸長状態での弾性部材２９ｂの位置が、厚み方向Ｚにおいて中央接合部２７ａが存在する中央領域２７Ｃと重なるように位置していることが好ましい。弾性部材２９ｂが複数本存在する場合には、複数本の弾性部材２９ｂのうち少なくとも一本が、厚み方向Ｚにおいて中央接合部２７ａが存在する中央領域２７Ｃと重なっていればよい。このような構成を有していることによって、中間シート２９による防漏カフの立ち上がりを一層良好なものとし、排泄物の横漏れを防ぐことができる。
【００４０】
図１に戻ると、おむつ１の胴周り部Ｗに配されている第２弾性部材３３のうち少なくとも一本と、吸収体２３における低坪量部２Ｌとが、厚み方向Ｚで重なるように配されていることが好ましい。つまり、図２に示すおむつ１の展開且つ伸長状態において、低坪量部２Ｌが、おむつの背側部Ｒであって且つ第２弾性部材３３の配されている位置に存在していることが好ましい。このような構成を有していることによって、第２弾性部材３３の収縮によって吸収体２３の立体的な変形を一層容易にし、便の漏れを一層防ぐことができる。
【００４１】
特に、厚み方向において低坪量部２Ｌと重なる位置に存在する第２弾性部材３３は、そのうち少なくとも一本が複数本に切断されて伸縮性が発現しないようになされていることが好ましい。このような処理は、例えば、特開２００２−２５３６０５号公報に記載の複合伸縮部材の製造方法に用いる弾性部材分断部等を用いて、吸収体２３の低坪量部２Ｌを配する位置に対応させて、第２弾性部材３３を押圧することによって行うことができる。このような構成となっていることによって、第２弾性部材３３の収縮に起因する厚み方向への過度な圧迫を抑制して、吸収体の立体的な変形を一層容易にし、排泄物の漏れを防ぐことができる。
【００４２】
また、上述の処理が施されて切断された第２弾性部材３３Ｐは、その両端部が接着剤によって接合された弾性部材接合部３５を有しており、弾性部材接合部３５と側方接合部２７ｂとが厚み方向Ｚで重なっていることが好ましい。このような構成を有することによって、吸収体２３の側方域の剛性が更に高くなるので、吸収体の立体的変形が一層容易となり、便の漏れを効果的に防ぐことができる。
【００４３】
また、着用者の背部と背側部Ｒにおける胴周り部Ｗとの隙間を最小限にするとともに、吸収体２３の立体的変形を容易にして、長手方向及び幅方向からの排泄物の漏れを防ぐ観点から、切断されていない第２弾性部材３３が、切断された第２弾性部材３３Ｐよりも背側端部１Ｅ側にあることが好ましい。
【００４４】
図８及び図９には、本発明のおむつにおける吸収体の別の実施形態が示されている。以下の説明では、上述した実施形態と異なる部分のみを説明し、その他の部分に関しては上述の説明が適宜適用される。また、上述の実施形態と同一の部材には、同一の符号を付してある。
【００４５】
図８に示すおむつ１は、長手方向Ｘに沿って延びる複数条の低剛性部２Ｓを有する吸収体２３を備えている。図９に示す低剛性部２Ｓは、吸収体２３における吸収性コア２３１の形成材料が存在しておらず、その厚み方向において貫通した開孔部となっている。これに代えて、低剛性部２Ｓは、吸収性コア２３１の形成材料が存在し、且つ吸収体２３における他の領域よりも坪量の低い形態や、厚みの薄い形態に置き換えてもよい。各低剛性部２Ｓ，２Ｓは、厚み方向Ｚにおいて中央接合部２７ａと重なるように位置している。同図に示す低剛性部２Ｓは、吸収体における少なくとも股下部Ｍに形成されており、股下部Ｍを越えて腹側部Ｆ及び背側部Ｒにまで延在していることが好ましい。このような構成を有していることによって、排泄時において、各低剛性部２Ｓを屈曲軸として吸収体２３を立体的に変形させて、排泄物を保持可能なポケットを形成させることができるので、その結果、吸収体の中央域で便を一層首尾よく保持して、漏れを一層効果的に防止することができる。
【００４６】
低剛性部２Ｓの幅方向Ｙにおける一本の幅は、側方接合部２７ｂに存在する一本の接合部２７の幅方向Ｙにおける幅よりも大きいことが好ましい。また、低剛性部２Ｓの幅方向Ｙにおける一本の幅は、側方接合部２７ｂの幅方向Ｙにおける合計幅よりも小さいことも好ましい。このような構成を有していることによって、吸収体２３の立体的な変形性の向上と、低剛性部２Ｓを介した排泄物の意図しない漏れの抑制とを両立することができる。
【００４７】
詳細には、低剛性部２Ｓの幅方向Ｙにおける幅Ｗ１（図９参照）は、吸収体２３の幅や厚みにも依存するが、０．５ｍｍ以上であることが好ましく、５ｍｍ以上であることが更に好ましく、また２０ｍｍ以下であることが好ましく、１５ｍｍ以下であることが更に好ましい。また、側方接合部２７ｂに存在する接合部２７の幅方向Ｙにおける幅は、好ましくは一本当たり０．５ｍｍ以上、更に好ましくは０．８ｍｍ以上、また好ましくは５ｍｍ以下、更に好ましくは２ｍｍ以下となるように形成されることが好ましい。
【００４８】
図８に示すように、おむつ幅方向Ｙの断面視において、中央接合部２７ａが形成されている中央領域２７Ｃの幅方向Ｙにおける各外側縁２７Ｌと低剛性部２Ｓとの位置が厚み方向で重なって存在していることが好ましい。つまり、中央領域２７Ｃと側方領域２７Ｓとの境界部２７Ｌが、低剛性部２Ｓの位置と厚み方向で重なっていることが好ましい。このような構成を有していることによって、吸収体２３における接着剤の坪量が異なる部分と低剛性部２Ｓとを略一致させて変形させることができるので、吸収体の立体的変形によるポケットの形成効率を高め、便の漏れを効果的に防ぐことができる。
【００４９】
同様の観点から、図９に示すように、低剛性部２Ｓは、低坪量部２Ｌに少なくとも存在していることも好ましい。つまり、低剛性部２Ｓは、低坪量部２Ｌが存在する部位まで延在していることも好ましい。また同図に示す高坪量部２Ｈは、低坪量部２Ｌよりもおむつ長手方向Ｘの外方に位置しており、背側部Ｒ側に位置するように形成されていることも好ましい。このような構成を有していることによって、低坪量部２Ｌの変形によってポケットを三次元的に形成して便を首尾よく保持し、着用者の前後方向からの漏れを一層効果的に防ぐことができる。
【００５０】
排泄物を吸収体に保持可能なポケットを一層容易に立体形成しやすくして、漏れを防止する観点から、おむつ幅方向Ｙの断面視において、吸収体２３の幅方向中央部ＣＬから幅方向端部までの長さＴ１に対する、幅方向中央部ＣＬから低剛性部２Ｓの幅方向外側部までの長さＴ２の比（Ｔ２／Ｔ１）（図９参照）が、０．４以上であることが好ましく、０．５以上であることがより好ましく、０．６以上であることが更に好ましく、また０．９以下であることが好ましく、０．８以下であることがより好ましく、０．７以下であることが更に好ましい。具体的には、０．４以上０．９以下であることが好ましく、０．５以上０．８以下であることがより好ましく、０．６以上０．７以下であることが更に好ましい。
【００５１】
詳細には、吸収体２３の幅方向中央部ＣＬから幅方向端部までの長さＴ１は、３５ｍｍ以上であることが好ましく、５０ｍｍ以上であることが更に好ましく、また７５ｍｍ以下であることが好ましく、６５ｍｍ以下であることが更に好ましい。また、幅方向中央部ＣＬから低剛性部２Ｓの幅方向外端部までの長さＴ２は、２０ｍｍ以上であることが好ましく、３０ｍｍ以上であることが更に好ましく、また５０ｍｍ以下であることが好ましく、４０ｍｍ以下であることが更に好ましい。
【００５２】
以上の構成を有する使い捨ておむつは、展開型又はパンツ型の使い捨ておむつとすることができる。着用者及び着用補助者の着用の利便性の観点から、図１及び図６に示すようなパンツ型であることが好ましい。パンツ型の使い捨ておむつとしては、外装体３が腹側外装体と背側外装体とに分割された態様であってもよく、これに代えて、外装体３が腹側部Ｆから股下部Ｍを経て背側部Ｒまでに亘って配された態様であってもよい。いずれの場合であっても、本発明の使い捨ておむつは、おむつ着用直後では良好な外観を有しており、また便などの排泄物の排泄後では、図６に示すように、吸収体が外方へ突出するようにポケット１Ｐを形成するので、該ポケット１Ｐに便を吸収保持して、便の漏れを抑制できる。
【００５３】
以上、本発明をその好ましい実施形態に基づき説明したが、本発明は上述した実施形態に限定されない。例えば、図９に示す低剛性部２Ｓを、図４（ａ）に示す吸収体２３に形成してもよい。
【００５４】
上述した本発明の実施形態に関し、更に以下のパンツ型使い捨ておむつ及びその製造方法を開示する。
＜１＞
吸収体と、該吸収体の非肌対向面側に配される非肌面シートと、該非肌面シートの非肌対向面側に配される外面シートとを備え、着用状態において着用者の腹側に配される腹側部、股間部に配される股下部及び背側に配される背側部を有する使い捨ておむつであって、
前記吸収体は、股下部から背側部にかけてのいずれかの位置に、坪量が該吸収体の他の部位よりも相対的に低い低坪量部を有し、
前記外面シートと、該外面シートの肌対向面側に位置するシートとが、接着剤によって接合され、それによっておむつ長手方向に延びる複数条の接合部が形成されており、
複数条の前記接合部は、前記低坪量部と厚さ方向において重なる領域に位置しており、
前記領域のうち、おむつ幅方向の両側方域に位置する側方領域は、幅方向の中央域に位置する中央領域よりも前記接着剤の坪量が高くなっている、使い捨ておむつ。
【００５５】
＜２＞
前記接合部は、おむつ長手方向に沿う長さが前記低坪量部よりも長い、前記＜１＞に記載の使い捨ておむつ。
＜３＞
前記中央領域における前記接着剤の坪量に対する、前記側方領域における前記接着剤の坪量の比が、１．３以上１００以下である、前記＜１＞又は＜２＞に記載の使い捨ておむつ。
＜４＞
前記中央領域における接着剤の坪量に対する、前記側方領域における接着剤の坪量の比が、１．３以上であることが好ましく、１．５以上であることがより好ましく、３．０以上であることが更に好ましく、また１００以下であることが好ましく、８０以下であることがより好ましく、５０以下であることが更に好ましい、前記＜１＞ないし＜３＞のいずれか一に記載の使い捨ておむつ。
＜５＞
前記中央領域における接着剤の坪量は、上述の比を満たすことを条件として、０．１ｇ／ｍ２以上であることが好ましく、０．３ｇ／ｍ２以上であることがより好ましく、０．５ｇ／ｍ２以上であることが更に好ましく、また１０ｇ／ｍ２以下であることが好ましく、８ｇ／ｍ２以下であることがより好ましく、１ｇ／ｍ２以下であることが更に好ましい、前記＜４＞に記載の使い捨ておむつ。
【００５６】
＜６＞
前記側方領域における接着剤の坪量は、上述の比を満たすことを条件として、０．５ｇ／ｍ２以上であることが好ましく、０．７ｇ／ｍ２以上であることがより好ましく、１ｇ／ｍ２以上であることが更に好ましく、また１５ｇ／ｍ２以下であることが好ましく、１０ｇ／ｍ２以下であることがより好ましく、２ｇ／ｍ２以下であることが更に好ましい、前記＜４＞又は＜５＞に記載の使い捨ておむつ。
＜７＞
前記側方領域に形成されている前記接合部の本数が、前記中央領域に形成されている前記接合部の本数よりも多い、前記＜１＞ないし＜６＞のいずれか一に記載の使い捨ておむつ。
＜８＞
前記接合部が、おむつ長手方向に間欠的に形成されている、前記＜１＞ないし＜７＞のいずれか一に記載の使い捨ておむつ。
＜９＞
前記吸収体は単層である、前記＜１＞ないし＜８＞のいずれか一に記載の使い捨ておむつ。
【００５７】
＜１０＞
前記吸収体は、前記背側部の長手方向及び幅方向の全域にのみ単一の前記低坪量部を有する、前記＜１＞ないし＜９＞のいずれか一に記載の使い捨ておむつ。
＜１１＞
前記低坪量部は、前記背側部の端縁に向けて厚みが漸減している、前記＜１＞ないし＜１０＞のいずれか一に記載の使い捨ておむつ。
＜１２＞
前記非肌面シートと前記外面シートとの間に位置する中間シートを備え、
前記非肌面シートと前記中間シートとが接着剤によって接合された第２接合部を有し、
第２接合部が形成されている領域と、前記側方領域とが、厚み方向において重なるように位置している、前記＜１＞ないし＜１１＞のいずれか一に記載の使い捨ておむつ。
＜１３＞
前記中間シートはおむつ幅方向の両側部域に配されており、
前記外面シートは、おむつ幅方向中央域において前記非肌面シートと接合されて前記接合部が前記中央領域に形成されているとともに、おむつ幅方向両側方域において前記中間シートと接合されて前記接合部が前記側方領域に形成されている、前記＜１２＞に記載の使い捨ておむつ。
【００５８】
＜１４＞
第２接合部と前記側方領域に形成されている前記接合部とが、厚み方向において重なるように位置している、前記＜１２＞又は＜１３＞に記載の使い捨ておむつ。
＜１５＞
第２接合部は、おむつ長手方向に沿って、帯状又はスパイラル状に複数条形成されている、前記＜１２＞ないし＜１４＞のいずれか一に記載の使い捨ておむつ。
＜１６＞
前記中間シートは、該中間シートのおむつ長手方向に沿う一方の側部域が前記非肌面シートと前記外面シートとの間に位置し、他方の側部域側が前記吸収体の肌対向面側に折り返されて防漏カフを形成し、該防漏カフの自由端に弾性部材が伸長状態で配されている、前記＜１２＞ないし＜１５＞のいずれか一に記載の使い捨ておむつ。
＜１７＞
伸長状態での前記弾性部材の位置が、前記中央領域と厚み方向において重なる、前記＜１６＞に記載の使い捨ておむつ。
【００５９】
＜１８＞
前記吸収体は、その長手方向に沿って延びる複数条の低剛性部を有し、
厚み方向において、前記各低剛性部は前記中央領域に形成されている前記接合部と重なっている、前記＜１＞ないし＜１７＞のいずれか一に記載の使い捨ておむつ。
＜１９＞
前記低剛性部の一本の幅は、前記側方領域に形成されている前記接合部の一本の幅よりも大きい、前記＜１８＞に記載の使い捨ておむつ。
＜２０＞
前記低剛性部の一本の幅は、前記側方領域に形成されている前記接合部の合計幅よりも小さい、前記＜１８＞又は＜１９＞に記載の使い捨ておむつ。
＜２１＞
おむつ幅方向断面視において、前記吸収体の幅方向中央部から該吸収体の幅方向端部までの長さに対する、該吸収体の幅方向中央部から前記低剛性部の幅方向外側部までの長さの比が、０．４以上０．９以下である、前記＜１８＞ないし＜２０＞のいずれか一に記載の使い捨ておむつ。
【００６０】
＜２２＞
おむつ幅方向の断面視において、前記吸収体の幅方向中央部から幅方向端部までの長さに対する、該幅方向中央部から前記低剛性部の幅方向外側部までの長さの比が、０．４以上であることが好ましく、０．５以上であることがより好ましく、０．６以上であることが更に好ましく、また０．９以下であることが好ましく、０．８以下であることがより好ましく、０．７以下であることが更に好ましい、前記＜１８＞ないし＜２１＞のいずれか一に記載の使い捨ておむつ。
＜２３＞
前記吸収体の幅方向中央部から幅方向端部までの長さは、３５ｍｍ以上であることが好ましく、５０ｍｍ以上であることが更に好ましく、また７５ｍｍ以下であることが好ましく、６５ｍｍ以下であることが更に好ましい、前記＜１８＞ないし＜２２＞のいずれか一に記載の使い捨ておむつ。
＜２４＞
前記吸収体の幅方向中央部から低剛性部２Ｓの幅方向外端部までの長さは、２０ｍｍ以上であることが好ましく、３０ｍｍ以上であることが更に好ましく、また５０ｍｍ以下であることが好ましく、４０ｍｍ以下であることが更に好ましい、前記＜１８＞ないし＜２３＞のいずれか一に記載の使い捨ておむつ。
＜２５＞
前記中央領域に形成されている前記接合部の各外側縁と前記低剛性部とが厚み方向で重なっている、前記＜１８＞ないし＜２４＞のいずれか一に記載の使い捨ておむつ。
【００６１】
＜２６＞
前記低剛性部は、前記低坪量部に少なくとも存在している、前記＜１８＞ないし＜２５＞のいずれか一に記載の使い捨ておむつ。
＜２７＞
前記低剛性部は、吸収体における吸収性コアの形成材料が存在していない、前記＜１８＞ないし＜２６＞のいずれか一に記載の使い捨ておむつ。
＜２８＞
前記低剛性部の幅方向における幅は、０．５ｍｍ以上であることが好ましく、５ｍｍ以上であることが更に好ましく、また２０ｍｍ以下であることが好ましく、１５ｍｍ以下であることが更に好ましい、前記＜１８＞ないし＜２７＞のいずれか一に記載の使い捨ておむつ。
＜２９＞
低剛性部は、低坪量部が存在する部位まで延在していることも好ましい、前記＜１８＞ないし＜２８＞のいずれか一に記載の使い捨ておむつ。
【００６２】
＜３０＞
前記外面シートの非肌対向面側に外装体を備え、
前記外装体は、前記外面シートの非肌対向面側に配される内層不織布と、該内層不織布の非肌対向面側に配される外層不織布とを有し、
おむつ幅方向に沿って延びる第２弾性部材が前記外層不織布と前記内層不織布との間に複数本配されており、
第２弾性部材のうち少なくとも一本と前記低坪量部とが、厚み方向で重なるように配されて、おむつ幅方向に沿って延びるウエストギャザーを形成している、前記＜１＞ないし＜２９＞のいずれか一に記載の使い捨ておむつ。
＜３１＞
厚み方向において前記低坪量部と重なる位置に存在する第２弾性部材の少なくとも一本が切断されて伸縮性が発現しないようになされている、前記＜３０＞に記載の使い捨ておむつ。
＜３２＞
切断された第２弾性部材の両端部が接着剤によって前記外装体に接合された弾性部材接合部を有し、該弾性部材接合部と前記側方領域に形成されている前記接合部とが厚み方向において重なっている、前記＜３０＞又は＜３１＞に記載の使い捨ておむつ。
＜３３＞
切断されていない第２弾性部材が、切断された第２弾性部材よりも背側端部側に位置している、前記＜３０＞ないし＜３２＞のいずれか一に記載の使い捨ておむつ。
＜３４＞
前記吸収体は、前記低坪量部よりも坪量の高い高坪量部を該低坪量部よりも背側に有する、前記＜１＞ないし＜３３＞のいずれか一に記載の使い捨ておむつ。
＜３５＞
おむつ長手方向における前記低坪量部の収縮率は、前記吸収体の他の領域の収縮率よりも高い、前記＜１＞ないし＜３４＞のいずれか一に記載の使い捨ておむつ。
＜３６＞
前記中央領域は、前記吸収体の幅方向の全長に対して、該吸収体の中央部を挟んで４０％以上７０％以下の範囲で形成されており、
前記側方領域は、前記吸収体の幅方向の全長に対して、該吸収体の両側縁から１５％以上３０％以下の範囲でそれぞれ形成されている、前記＜１＞ないし＜３５＞のいずれか一に記載の使い捨ておむつ。
【００６３】
＜３７＞
前記外面シートの非肌対向面側に外装体を備え、
前記外装体が、着用者の背側に配される背側外装体と腹側に配される腹側外装体とに分割されており、
前記吸収体を含む吸収性本体が、前記背側外装体と前記腹側外装体との間に架け渡して固定されている、前記＜１＞ないし＜３６＞のいずれか一に記載の使い捨ておむつ。
＜３８＞
パンツ型である、前記＜１＞ないし＜３７＞のいずれか一に記載の使い捨ておむつ。
【産業上の利用可能性】
【００６４】
本発明によれば、着用時の外観を損なうことなく便の漏れを防止できる使い捨ておむつが提供される。
【図１】
2020070780.tif 000003
【図２】
2020070780.tif 000004
【図３】
2020070780.tif 000005
【図４】
2020070780.tif 000006
【図５】
2020070780.tif 000007
【図６】
2020070780.tif 000008
【図７】
2020070780.tif 000009
【図８】
2020070780.tif 000010
【図９】
2020070780.tif 000011
【手続補正書】
【提出日】令和2年12月16日(2020.12.16)
【手続補正１】
【補正対象書類名】特許請求の範囲
【補正対象項目名】全文
【補正方法】変更
【補正の内容】
【特許請求の範囲】
【請求項１】
吸収体と、該吸収体の非肌対向面側に配される非肌面シートと、該非肌面シートの非肌対向面側に配される外面シートとを備え、着用状態において着用者の腹側に配される腹側部、股間部に配される股下部及び背側に配される背側部を有する使い捨ておむつであって、
前記吸収体は、股下部から背側部にかけてのいずれかの位置に、坪量が該吸収体の他の部位よりも相対的に低い低坪量部を有し、
前記外面シートと、該外面シートの肌対向面側に位置するシートとが、接着剤によって接合され、それによっておむつ長手方向に延びる複数条の接合部が形成されており、
複数条の前記接合部は、前記低坪量部と厚さ方向において重なる領域に位置しており、
前記領域のうち、おむつ幅方向の両側方域に位置する側方領域は、幅方向の中央域に位置する中央領域よりも前記接着剤の坪量が高くなっており、
前記非肌面シートと前記外面シートとの間に位置する中間シートを備え、
前記非肌面シートと前記中間シートとが接着剤によって接合された第２接合部を有し、
第２接合部が形成されている領域と、前記側方領域とが、厚み方向において重なるように位置している、使い捨ておむつ。
【請求項２】
前記接合部は、おむつ長手方向に沿う長さが前記低坪量部よりも長い、請求項１に記載の使い捨ておむつ。
【請求項３】
前記中央領域における前記接着剤の坪量に対する、前記側方領域における前記接着剤の坪量の比が、１．３以上１００以下である、請求項１又は２に記載の使い捨ておむつ。
【請求項４】
前記側方領域に形成されている前記接合部の本数が、前記中央領域に形成されている前記接合部の本数よりも多い、請求項１ないし３のいずれか一項に記載の使い捨ておむつ。
【請求項５】
前記接合部が、おむつ長手方向に間欠的に形成されている、請求項１ないし４のいずれか一項に記載の使い捨ておむつ。
【請求項６】
前記吸収体は単層である、請求項１ないし５のいずれか一項に記載の使い捨ておむつ。
【請求項７】
前記中間シートはおむつ幅方向の両側部域に配されており、
前記外面シートは、おむつ幅方向中央域において前記非肌面シートと接合されて前記接合部が前記中央領域に形成されているとともに、おむつ幅方向両側方域において前記中間シートと接合されて前記接合部が前記側方領域に形成されている、請求項１ないし６のいずれか一項に記載の使い捨ておむつ。
【請求項８】
第２接合部と、前記側方領域に形成されている前記接合部とが、厚み方向において重なるように位置している、請求項１ないし７のいずれか一項に記載の使い捨ておむつ。
【請求項９】
第２接合部は、おむつ長手方向に沿って、帯状又はスパイラル状に複数条形成されている、請求項１ないし８のいずれか一項に記載の使い捨ておむつ。
【請求項１０】
前記中間シートは、該中間シートのおむつ長手方向に沿う一方の側部域が前記非肌面シートと前記外面シートとの間に位置し、他方の側部域側が前記吸収体の肌対向面側に折り返されて防漏カフを形成し、該防漏カフの自由端に弾性部材が伸長状態で配されている、請求項１ないし９のいずれか一項に記載の使い捨ておむつ。
【請求項１１】
伸長状態での前記弾性部材の位置が、前記中央領域と厚み方向において重なる、請求項１０に記載の使い捨ておむつ。
【請求項１２】
前記吸収体は、その長手方向に沿って延びる複数条の低剛性部を有し、
厚み方向において、前記各低剛性部は前記中央領域に形成されている前記接合部と重なっている、請求項１ないし１１のいずれか一項に記載の使い捨ておむつ。
【請求項１３】
前記低剛性部の一本の幅は、前記側方領域に形成されている前記接合部の一本の幅よりも大きい、請求項１２に記載の使い捨ておむつ。
【請求項１４】
前記低剛性部の一本の幅は、前記側方領域に形成されている前記接合部の合計幅よりも小さい、請求項１２又は１３に記載の使い捨ておむつ。
【請求項１５】
前記外面シートの非肌対向面側に外装体を備え、
前記外装体は、前記外面シートの非肌対向面側に配される内層不織布と、該内層不織布の非肌対向面側に配される外層不織布とを有し、
おむつ幅方向に沿って延びる第２弾性部材が前記外層不織布と前記内層不織布との間に複数本配されており、
第２弾性部材のうち少なくとも一本と前記低坪量部とが、厚み方向で重なるように配されて、おむつ幅方向に沿って延びるウエストギャザーを形成しており、
厚み方向において前記低坪量部と重なる位置に存在する第２弾性部材の少なくとも一本が切断されて伸縮性が発現しないようになされており、
切断された第２弾性部材の両端部が接着剤によって前記外装体に接合された弾性部材接合部を有し、該弾性部材接合部と前記側方領域に形成されている前記接合部とが厚み方向において重なっている、請求項１ないし１４のいずれか一項に記載の使い捨ておむつ。
【国際調査報告】
2020070780.tif 000012
2020070780.tif 000013
2020070780.tif 000014
2020070780.tif 000015